(57)【特許請求の範囲】
【請求項１】
義歯に配設された磁石構造体を吸着させるための義歯アタッチメント用のキーパにおいて，
該キーパは，軟磁性体よりなるキーパ本体部と，該キーパ本体部の裏面に接合された非磁性体よりなるポスト部とよりなり，該ポスト部には曲げ加工可能な曲げ可能部が設けられていることを特徴とする義歯アタッチメント用のキーパ。
【請求項２】
請求項１において，上記曲げ可能部は，上記キーパ本体部との接合部近傍に設けられ，かつ，他の部分よりも小さい外径を有していることを特徴とする義歯アタッチメント用のキーパ。
【請求項３】
請求項２において，上記曲げ可能部の直径は０．２〜０．８ｍｍの範囲内にあることを特徴とする義歯アタッチメント用のキーパ。
【発明の詳細な説明】
【０００１】
【技術分野】
本発明は，磁気吸引力を利用して義歯を固定するための義歯アタッチメントにおけるキーパおよびこれを歯根に配設した後の取り外し方法に関する。
【０００２】
【従来技術】
歯科の分野においては，磁気吸引力を利用して義歯を固定するための義歯アタッチメントの開発が進められている。従来の義歯アタッチメント９は，図８に示すごとく，義歯８１に配設された磁石構造体９１と，該磁石構造体９１を吸着させるために根面板８２に配設されたキーパ９２とよりなる。キーパ９２は，軟磁性体により構成されており，上記磁石構造体９１との間において吸引力を発揮する。
【０００３】
このような構造の義歯アタッチメントは，キーパ９２を根面板８２に鋳接した状態で用いる必要がある。キーパ９２と根面板８２との鋳接工程は，高温での精密鋳造であるため，キーパ９２の品質を維持するための工夫が必要であるなど，コストアップの一因となり，さらに手間がかかるため治療期間も長くなる。
そのため，近年，改良されてきた歯科用合着材を用いて，キーパを歯根に直接配設する方法が適用されてきている。この場合のキーパ９２としては，図９，図１０に示すごとく，切削加工によりキーパ本体部９２１とポスト部９２２とを一体的に有するものが用いられる。
【０００４】
【解決しようとする課題】
しかしながら，上記従来の義歯アタッチメント用のキーパ９２においては，次の問題がある。
即ち，図９，図１０に示すごとく，上記ポスト部９２２は，切削加工により削り出して作製するため，その径が比較的大きくなる。そのため，歯根に設ける穴径を大きくする必要があり，歯根の強度を弱くしてしまう。また，上記ポスト部９２２の形状は，歯根から抜けやすい。
【０００５】
また，歯根の傾きなどへの対応が困難である。即ち，根面板を使用する場合には，その鋳造時に歯根の傾き等を考慮した形状にすることができるが，ポスト部９２２を最初からキーパに設けておく場合には，この角度等を各歯根にあわせた最適な状態に設けることが困難である。
【０００６】
さらに，上記従来のキーパ９２は，いわゆるＭＲＩ診断時の取り外し作業に非常に手間がかかるという問題もある。
即ち，従来のキーパ９２は全体が同材質の軟磁性材料よりなるため，すべての部分がＭＲＩ診断に悪影響を及ぼす。そのため，ＭＲＩ診断を行う場合には，事前に上記本体部９２１とポスト部９２２の全てを歯根から撤去する必要がある。そのため，その撤去作業は非常に手間がかかるものとなる。
【０００７】
本発明は，かかる従来の問題点に鑑みてなされたもので，根面板を用いることなく設置することができ，かつ，取り外しが比較的容易な義歯アタッチメント用のキーパ及びその取り外し方法を提供しようとするものである。
【０００８】
【課題の解決手段】
請求項１の発明は，義歯に配設された磁石構造体を吸着させるための義歯アタッチメント用のキーパにおいて，
該キーパは，軟磁性体よりなるキーパ本体部と，該キーパ本体部の裏面に接合された非磁性体よりなるポスト部とよりなり，該ポスト部には曲げ加工可能な曲げ可能部が設けられていることを特徴とする義歯アタッチメント用のキーパにある。
【０００９】
本発明において最も注目すべきことは，上記キーパは，上記キーパ本体部とこれに接合されたポスト部とよりなると共にそれぞれ軟磁性体と非磁性体という異なる材質よりなることである。
【００１０】
次に，本発明の作用効果につき説明する。
本発明の義歯アタッチメント用のキーパは，上記キーパ本体部に上記ポスト部を一体的に接合してある。そのため，根面板を用いることなく歯科用合着材によって直接歯根に接合することができる。またそのため，従来行っていた鋳接工程を省略することができ，製造工程の合理化およびコストダウンを図ることができる。
【００１１】
また，上記キーパ本体部とポスト部とは異なる材質よりなり，かつ，ポスト部は非磁性体により構成されている。そのため，このキーパを歯根に配設した後に，ＭＲＩ診断を受ける場合には，事前に上記キーパ本体部のみを除去すればよい。それ故，ポスト部も含めて全体が軟磁性体よりなる従来のものよりも，ＭＲＩ診断時のキーパ取り外し作業を容易かつ短時間で行うことができる。
【００１２】
したがって，本発明によれば，根面板を用いることなく設置することができ，かつ，取り外しが比較的容易な義歯アタッチメント用のキーパを提供することができる。
【００１３】
次に，上記ポスト部には曲げ加工可能な曲げ可能部が設けられている。
この場合には，上記ポスト部に上記曲げ可能部を設けてあるので，ポスト部のキーパ本体部に対する角度等を，任意な状態に容易に変更することができる。たとえば，歯根が斜めに傾いておりこれに設けた穴も斜めに傾いている場合などには，上記ポスト部を上記曲げ可能部から曲げて穴の角度にあわせることが可能である。それ故，本発明のキーパは，種々の形状の歯根に対する適応性が非常に高い。
【００１４】
次に，請求項２の発明のように，上記曲げ可能部は，上記キーパ本体部との接合部近傍に設けられ，かつ，他の部分よりも小さい外径を有していることが好ましい。この場合には，この場合には，外径の細径化により曲げ剛性を適度に低下させることができ，曲げ可能部の曲げ作業を容易にすることができる。また，曲げ可能部の細径化によって，それよりも大径の先端側部分との境界に段部が形成される。そのため，この段部によっていわゆるアンカー効果を高めることができ，キーパの固定状態を強化することもできる。
【００１５】
また，請求項３の発明のように，上記曲げ可能部の直径は０．２〜０．８ｍｍの範囲内にあることが好ましい。曲げ可能部の直径が０．２ｍｍ未満の場合にはその剛性が低くなりすぎるという問題がある。一方０．８ｍｍを超える場合には曲げ剛性が高すぎて容易な曲げ作業が困難となるという問題がある。
【００１６】
次に，上記の義歯アタッチメント用のキーパを歯科用合着材により歯根に配設した状態から，上記キーパを取り外す方法としては，上記キーパ本体部の周囲の上記歯科用合着材と共に上記ポスト部を切断することにより上記キーパ本体部を分離して取り外すことを特徴とする義歯アタッチメント用のキーパの取り外し方法がある。
【００１７】
上記方法において最も注目すべきことは，上記キーパを取り外す際に，軟磁性体よりなる上記キーパ本体部と非磁性体よりなるポスト部とを分離して，キーパ本体部側のみを除去することである。
この場合には，ポスト部も含めてキーパ全体を除去する場合に比べて，その作業時間を大幅に短縮することができる。それ故，ＭＲＩ診断を早急に実施する必要がある場合などに，これに十分に対応することができる。
【００１８】
また，上記ポスト部の切断は，上記曲げ可能部において行うことが好ましい。曲げ可能部は他の部分に比べて曲げ剛性が低いだけでなく，切断も容易であるので，ポスト部の切断作業をさらに容易化することができる。
【００１９】
次に，上記義歯アタッチメント用のキーパを歯科用合着材により歯根に配設した状態から，上記キーパを取り外す方法としては，上記キーパ本体部の周囲の上記歯科用合着材を割ることにより，ポスト部と一体でキーパ本体部を取り外すことを特徴とする義歯アタッチメント用のキーパの取り外し方法がある。
【００２０】
この場合には，少なくとも上記キーパ本体部の周囲の上記歯科用合着材を割ることにより，キーパ本体部とポスト部との切断を行うことなく，これら全体を引き抜く。これによっても，比較的容易にキーパの取り外しを行うことができる。
【００２１】
【発明の実施の形態】
実施形態例１
本発明の実施形態例にかかる義歯アタッチメント用のキーパにつき，図１〜図３を用いて説明する。
本例の義歯アタッチメント用のキーパ１は，前述した図８に示すごとく，義歯８１に配設された磁石構造体９１を吸着させるための義歯アタッチメント用のキーパである。
【００２２】
キーパ１は，図１に示すごとく，軟磁性体よりなるキーパ本体部１０と，該キーパ本体部１０の裏面に接合された非磁性体よりなるポスト部２とよりなる。かつ，ポスト部２には曲げ加工可能な曲げ可能部２１が設けられている。
以下，これを詳説する。
【００２３】
図１に示すごとく，本例のキーパ本体部１０は，軟磁性体としてのＦｅ−１９Ｃｒ−２Ｍｏ−０．２Ｔｉ軟磁性ステンレス鋼を用いて円盤形状に設けられている。また，キーパ本体部１０の外径は裏面側から表面側に向かって拡径した円錐状に設けてある。具体的なサイズとしては，外径φ３．６ｍｍ，厚み約０．７ｍｍとした。また，キーパ本体部１０の裏側面はその中央部を窪ませて凹部１５を設けてある。そして，この凹部１５の中央に，上記ポスト部２を溶接により配設してある。
【００２４】
ポスト部２は，非磁性体としての非磁性ステンレス鋼  ＪＩＳ  ＳＵＳ３１６Ｌを用いて作製されている。また，ポスト部２は，上記キーパ本体部１０との接合部側を細径化してなる曲げ可能部２１，その反対側に先端を切除した円錐形状のテーパ部２２を連ねた形状に設けられている。具体的なサイズとしては，ポスト部２の長さは３．３ｍｍ，曲げ可能部２１の外径はφ０．５ｍｍ，テーパ部２２の底部径がφ１．２ｍｍ，頂部径がφ１．０ｍｍである。
【００２５】
次に，このキーパ１の設置構造を図２，図３を用いて説明する。
まず，図２に示す構造は，歯根８２が略垂直な状態にあり，これに垂直な穴８２０を設けてキーパ１を配設した例である。この場合には，同図に示すごとく，ポスト部２に曲げ加工を加えず，キーパ本体部１０とポスト部２とが垂直な状態のまま用いる。そして，そのポスト部２を歯根８２の穴８２０に挿入すると共に，ポスト部２およびキーパ本体部１０の周囲を歯科用合着材３により固めて歯根８２に配設する。
【００２６】
次に，図３に示す構造は，歯根８２が斜めに傾いた状態にあり，これに斜めの穴８２０を設けてキーパ１を配設した例である。この場合には，同図に示すごとく，ポスト部２に曲げ加工を加えて，キーパ本体部１０に対してポスト部２を斜めに傾けた状態に変形させて用いる。そして，この場合もポスト部２を歯根８２の穴８２０に挿入すると共に，ポスト部２およびキーパ本体部１０の周囲を歯科用合着材３により固めて歯根８２に配設する。これにより，歯根８２が斜めに傾いている状態にあっても，キーパ本体部１０を容易に水平な状態で配置することができる。
【００２７】
このように，本例の義歯アタッチメント用のキーパ１は，キーパ本体部１０にポスト部２を一体的に接合してあるので，根面板を用いることなく歯科用合着材３によって直接歯根８２に接合することができる。そのため，従来行っていた鋳接工程を省略することができ，技工工程の合理化を図ることができ，即日治療が可能となる。
【００２８】
また，ポスト部２には，上記曲げ可能部２１を設けてある。そのため，ポスト部２のキーパ本体部１０に対する角度等を，任意な状態に容易に変更することができる。たとえば図３に示すごとく，歯根８２が斜めに傾いておりこれに設けた穴も斜めに傾いている場合などには，上記ポスト部を上記曲げ可能部から曲げて穴の角度にあわせることが可能である。それ故，本発明のキーパは，種々の形状の歯根に対する適応性が非常に高い。
【００２９】
また，キーパ本体部１０とポスト部２とは異なる材質よりなり，かつ，ポスト部２は非磁性体により構成されている。そのため，後述するごとく，ＭＲＩ診断時の前などに，比較的容易にキーパ取り外し作業を行うことができる。
【００３０】
実施形態例２
本例では，図２，図４（ａ）に示すごとく，実施形態例１の義歯アタッチメント用のキーパ１を歯科用合着材３により歯根８２に配設した状態から，上記キーパ１を取り外す方法の例を示す。
この方法では，図４（ｂ）に示すごとく，キーパ本体部１０の周囲の上記歯科用合着材３と共に上記ポスト部２を切断することにより上記キーパ本体部１０を分離して取り外す。
以下，これを詳説する。
【００３１】
図２，図４（ａ）に示すごとく，上記キーパ１を歯根８２に配設した状態においては，ポスト部２と歯根８２との穴８２０との間，および歯根８２の上面のキーパ本体部１０の周囲には，歯科用合着材３が配設されている。この状態でＭＲＩ診断を受けた場合には，キーパ本体部１０の軟磁性が悪影響を及ぼし，正確なＭＲＩ診断ができない。そのため，この軟磁性体を除去することが必要となる。
【００３２】
そこで，本例においては，図４（ｂ）に示すごとく，キーパ本体部１０の厚みよりも若干厚い部分に，歯科用タービンにより略水平に切れ目４２を入れる。なお，このとき，図５，図６に示すごとく，最初に，キーパ本体部１０の周囲を囲うように歯科用合着材３に垂直方向の切れ目４１を設けておくこともできる。そして，この場合にも，略水平方向に切れ目４２を入れる。これにより，歯科用合着材３と共にポスト部２の曲げ可能部２１を切断する。これにより，比較的容易に軟磁性部分であるキーパ本体部１０を取り外すことができる。
【００３３】
比較のために，図７（ａ）に示すごとく，従来の，全体が軟磁性体よりなるポスト部つきのキーパ９２を用いている場合の，その取り外し方法を示す。
この場合には，図７（ｂ）に示すごとく，単なる水平方向のカットだけではなく，ポスト部を除去するための深い縦穴をも設ける必要がある。
【００３４】
この比較からわかるように，本発明品であるキーパ１は，キーパ本体部１０のみを軟磁性体とし，ポスト部２を非磁性体で構成しているので，ＭＲＩ診断前にはキーパ本体部１０のみを撤去すればよい。そのため，ＭＲＩ診断が急遽必要となった場合などにおいても，上記のごとく非常に簡単除去方法を採用することができ，従来のキーパを採用した場合よりも準備時間を短縮することができる。
また，本例では，ポスト部２の最も細い部分である曲げ可能部２１を切断するので，その切断作業も容易に行うことができる。
【００３５】
【発明の効果】
上述のごとく，本発明によれば，歯根の形状に対する適合性に優れ，かつ，取り外しが比較的容易な義歯アタッチメント用のキーパ及びその取り外し方法を提供することができる。
【図面の簡単な説明】
【図１】実施形態例１における，キーパの斜視図。
【図２】実施形態例１における，キーパの設置例を示す説明図。
【図３】実施形態例１における，キーパの他の設置例を示す説明図。
【図４】実施形態例２における，キーパの取り外し方法を示す説明図。
【図５】実施形態例２における，キーパ取り外し時に設ける切れ目の位置を上面から見た説明図。
【図６】実施形態例２における，キーパ取り外し時に設ける切れ目の位置を横断面から見た説明図。
【図７】実施形態例２における，比較例のキーパの取り外し方法を示す説明図。
【図８】従来例における，義歯アタッチメントの構成を示す説明図。
【図９】従来例における，キーパの斜視図。
【図１０】従来例における，別のキーパの斜視図。
【符号の説明】
１．．．義歯アタッチメント用のキーパ，
１０．．．キーパ本体部，
２．．．ポスト部，
２１．．．曲げ可能部，
２２．．．テーパ部，
【図１】
0003675259.tif 000002
【図２】
0003675259.tif 000003
【図３】
0003675259.tif 000004
【図４】
0003675259.tif 000005
【図５】
0003675259.tif 000006
【図６】
0003675259.tif 000007
【図７】
0003675259.tif 000008
【図８】
0003675259.tif 000009
【図９】
0003675259.tif 000010
【図１０】
0003675259.tif 000011